(57)【要約】着用者を楽しませると共に着用者によって着用されるように適応された審美的形状を有する構成物（１０）を提供する。上記構成物は、機能要素が一体化された構造を提供する。上記機能要素にはいくつかの要素が含まれる。第１要素は流体リザーバである。第２要素は、上記流体リザーバ内に配置される少なくとも２つの流体（１２、１４）である。第３要素は、構成物が静止状態にある際、吸引力およびさらなる吸引力または反発力に対して均衡状態を有する動作生成部であり、動作生成部は構成物が吸引力または反発力に対応して動かされるとアニメーション効果を生む。
2018532483.tif 000002
【特許請求の範囲】
【請求項１】
着用者を楽しませると共に着用者に着用されるように適応された審美的形状を有する構成物であって、上記構成物は機能要素が一体化された構成を提供し、上記機能要素は、
ａ．少なくとも１つの流体リザーバと、
ｂ．上記流体リザーバ内に配置される少なくとも２つの流体と、
ｃ．上記構成物が静止状態にある際に、さらなる吸引力または反発力と組み合わさった吸引力に対して均衡状態を有し、吸引力または反発力に対して上記構成物が動かされるとアニメーション効果を生む動作生成部と
からなることを特徴とする構成物。
【請求項２】
上記吸引力または反発力のうち１つは重力であることを特徴とする請求項１に記載の構成物。
【請求項３】
重力によって、異なる比重の流体が相互に分離することを特徴とする請求項２に記載の構成物。
【請求項４】
上記吸引力または反発力は、永久磁石または磁性粒子の磁界によって生成されることを特徴とする請求項１に記載の構成物。
【請求項５】
上記動作生成部は、使用者の動きによって動作生成部が動作されるように、例えば回転などの動作軸に対して少なくとも質量に関して偏心し（ｍａｓｓ−ｗｉｓｅ  ｅｃｃｅｎｔｒｉｃ）、これによりリザーバ内の少なくとも２つの流体のうち少なくとも１つと直接的に相互作用をすることで、流体のアニメーション動作を作り出すことを特徴とする請求項１に記載の構成物。
【請求項６】
上記流体リザーバ内の表面張力はコーティングによって誘発され、この表面張力によって１つまたは複数の流体の形状および動きが決定されることを特徴とする請求項１に記載の構成物。
【請求項７】
上記１つまたは複数の流体の表面張力は、磁性撹拌機のコーティングによって誘発されることを特徴とする請求項１に記載の構成物。
【請求項８】
上記流体の少なくとも１つに微粒子が懸濁されることを特徴とする請求項１に記載の構成物。
【請求項９】
上記１つまたは複数の流体に懸濁された微粒子の表面の表面張力が、上記流体間の界面の表面に影響を及ぼすことを特徴とする請求項１に記載の構成物。
【請求項１０】
上記２つの流体は非混合性であることを特徴とする請求項１に記載の構成物。
【請求項１１】
上記流体の両方は液体であることを特徴とする請求項１に記載の構成物。
【請求項１２】
上記流体のうち一方は液体で、もう一方は気体であることを特徴とする請求項１に記載の構成物。
【請求項１３】
上記２つの流体は、一方の流体がもう一方から視覚的に容易に識別可能となるように、異なる色または屈折率を有することを特徴とする請求項１に記載の構成物。
【請求項１４】
上記少なくとも１つの流体には装飾的な要素が懸濁されることを特徴とする請求項１に記載の構成物。
【請求項１５】
上記リザーバは迷路状であり、上記流体は質量体によって上記迷路内を誘導されることを特徴とする請求項１に記載の構成物。
【請求項１６】
上記質量体は、流体リザーバ内に収容された液体の質量体であることを特徴とする請求項１５に記載の構成物。
【請求項１７】
上記質量体は磁石であることを特徴とする請求項１５に記載の構成物。
【請求項１８】
上記動作生成部は少なくとも１つの磁石からなることを特徴とする請求項１に記載の構成物。
【請求項１９】
上記少なくとも１つの磁石のうち少なくとも１つは、上記少なくとも１つの磁石を上記少なくとも１つの流体に浮遊させる浮き装置に取り付けられることを特徴とする請求項１に記載の構成物。
【請求項２０】
上記動作装置は少なくとも１つの磁石からなることを特徴とする請求項１に記載の構成物。
【請求項２１】
上記少なくとも１つの磁石のうち少なくとも１つは、上記少なくとも１つの磁石を上記少なくとも１つの流体に浮遊させる浮き装置に取り付けられることを特徴とする請求項１９に記載の構成物。
【請求項２２】
上記構成物は時計であることを特徴とする請求項１に記載の構成物。
【請求項２３】
上記構成物は宝飾品であることを特徴とする請求項１に記載の構成物。
【請求項２４】
上記構成物はブレスレットであることを特徴とする請求項１に記載の構成物。
【請求項２５】
上記構成物はネックレスであることを特徴とする請求項１に記載の構成物。
【請求項２６】
上記構成物は、装飾的なボディピアス要素であることを特徴とする請求項１に記載の構成物。
【請求項２７】
上記流体リザーバはチャネル表面によって定義されたチャネル網から形成され、上記チャネルは上記液体および／または気体がチャネル網の中を循環するように相互に接続され、上記チャネル内の液体の動きを容易にするために、リザーバ内の液体が質量体となり、本質的にチャネル表面に付着しないように、チャネル表面は液体を撥水するように加工されることを特徴とする請求項１に記載の構成物。
【請求項２８】
上記少なくとも１つの流体は液体水銀であることを特徴とする請求項１に記載の構成物。
【請求項２９】
上記液体の表面張力および上記リザーバの表面加工は、上記チャネルの大きさと共に、上記少なくとも２つの流体がリザーバの細いチャネル内を容易に通過できるように選択されることを特徴とする請求項１に記載の構成物。
【請求項３０】
上記流体リザーバの表面は、チャネルの寸法、流体リザーバへの導入のために選択された１つまたは複数の液体の質量および重量、従ってその選択された１つまたは複数の液体に対する重力を考慮した表面張力を有するように加工され、選択された１つまたは複数の液体に対する重力はリザーバの表面への吸引力を容易に超越し、これによって上記リザーバ内で選択された１つまたは複数の液体の循環が容易となることを特徴とする請求項１に記載の構成物。
【請求項３１】
上記リザーバはチャネルとの間に通路を有する迷路であり、隣接する同心状のチャネルの間に少なくとも２つの通路が備えられ、一方の通路は第１流体のチャネルへの入口となり、もう一方はそこへ第１流体が進入できるように、第２流体をチャネルの外へ移動させることを特徴とする請求項１に記載の構成物。
【請求項３２】
上記流体のうち１つは気体であることを特徴とする請求項３１に記載の構成物。
【請求項３３】
着用者を楽しませると共に着用者に着用されるように適応された審美的な形状を有する構成物であって、機能要素が一体化された構造を備え、上記機能要素は、
ａ．少なくとも１つの流体リザーバと、
ｂ．上記流体リザーバ内に配置される少なくとも２つの流体と、
ｃ．吸引力に対して均衡状態を有する動作生成部であって、吸引力または反発力に対応して構成物が動かされるとアニメーション効果を生む動作生成部と
から構成され、上記リザーバは同心状のチャネルの間に通路を有し、少なくとも２つの通路が隣接するチャネルの間に備えられ、一方の通路は上記少なくとも２つの流体のうち第１流体のチャネルへの入口となり、もう一方はそこへ第１流体が進入できるように、第２流体をチャネルの外へ移動させることを特徴とする構成物。
【請求項３４】
上記流体の１つは気体であることを特徴とする請求項３３に記載の構成物。
【発明の詳細な説明】
【関連出願の相互参照】
【０００１】
本発明は、２０１５年１０月６日に出願された米国仮出願第６２／２３７，８９６「動的流体表示を有する宝飾品」および２０１６年９月２０日に出願された米国仮出願第６２／３９６，８３３「着用可能な動く流体式の宝飾品、時計およびその他の装置」の便益を主張し、その内容は参照として組み込まれると共に、それに依拠する。
【著作権および法的告知】
【０００２】
本特許文書に開示されるものの一部には、著作権保護の対象となる資料が含まれている。出願人は、特許商標庁の記録として特許開示されている特許文書に関しては、第三者によるファクシミリ複製に異論はないが、そうでない場合はいかなる場合も、すべての著作権を留保する。また、本願に記載される第三者の特許又は記事は、先行技術を理由として、本発明がその資料を先行する権利がないことを承認するものとして考慮すべきでない。
【技術分野】
【０００３】
本発明は、審美的な特徴部として少なくとも１つの封入された流体から構成される宝飾品を産業的および芸術的に製造するための方法および装置に関する。
【背景技術】
【０００４】
宝飾品の分野では、流体は補助的な審美的要素として周知されている。流体は着色されるか無色で、浮遊粒子または浮遊しない粒子を含む。流体は気体または液体であってもよく、１つ以上の液体が用いられる場合、これらの液体は非混合性とされる。
【発明の開示】
【０００５】
本発明は封入された流体からなる宝飾品を産業的および芸術的に製造する方法および装置に関する。これらの流体または流体の一部は、観察者から視認可能とされる審美的な要素であり、着色されるか無色で、浮遊粒子／浮遊しない粒子または懸濁粒子を含み、このため何らかの方法で動きが付されることも可能とされる。流体は気体または液体であってもよく、１つ以上の流体が用いられる場合、これらの流体は非混合性とされる。流体および／または任意的に含まれる粒子は、外部で発生する影響因子の制御された利用によって影響される。流体を収容する少なくとも１つのチャンバは、チャンバ内に収容される流体および／または粒子を動かすために、気温／気温変化、重力ベクトル／ベクトルの変化、電気的力のベクトル／ベクトルの変化、磁力ベクトル／ベクトルの変化、光／日光により放散される熱／赤外線放射、または気圧／気圧の変化などの外部パラメータから便益を得るように宝飾品の一部に配置および嵌め込まれる。
【０００６】
本構成物は着用可能で、流体で充満され、典型的にはガラス、水晶または貴石あるいは半貴石によって構成され、非透水性（水密）にベース部に取り付けられる。
【０００７】
装飾的な効果および／または動的なアニメーションを形成するために、重力、および／または磁力、および／または液体の表面張力、および／または基板の表面張力、および／または磁力および／または静電および／または引力を用いた流体に懸濁された撹拌物を組み合わせて利用することによって、流体は動かされる。宝石内で流体による動的かつ装飾的なアニメーションを作り出すには、重力、磁力、流体タイプまたは基板、表面張力または磁力、静電力または引力に感応性を有する浮遊する撹拌物を単独でまたは組み合わせて用いることで、封入された流体が動かされる。
【０００８】
一実施態様では、本発明は液体および／または気体が管網内を循環するように相互接続された、一体化された管網を含む。管内における動作を容易にするために、穴部内の液体が質量体として作用することで表面に付着しないように、リザーバの表面は液体を撥水するように加工される。読者が簡単に思い描くことができる視覚的効果の例としては、非常に高い表面張力を有するが故に球状となり、実質的に摩擦を起こさずにチャネル内を容易に移動する液体水銀が挙げられる。液体水銀は他の液体に比べて高い質量を有することは明白であるが、有害とされ、また着色も不可能である。このため、有害ではないその他の液体が好適には選択される。そうした場合、選択された液体の質量および重量を考慮した上で、流体が液体水銀のように作用するようにリザーバの表面が加工されることが重要となる。つまり、選択された液体に対する重力がリザーバ表面へのすべての吸引力を容易に超越することを意味し、これによりリザーバ内における流体の循環を容易にする。
【０００９】
１つまたは複数の流体による流体リザーバの充填は、リザーバが開いた状態の組立時に行われ、流体の導入後に閉じられる。流体リザーバは、少なくとも１つの層は透明とされる２つまたはそれ以上のあらかじめ形成された層を、サンドイッチ状に重ねてラミネートして形成することも可能である。
【００１０】
宝石に加えられた外力によって動かされる流体について言及する。エネルギーは、例えば宝石の可動部の押圧および／または宝石の（コードまたはスライド部などの）部品の牽引および／または宝石の一部の回転によって生成される。このエネルギーは（胴部またはベローズのような）内部の機械的蓄積システムに移送される。蓄積されたエネルギーは、エネルギー移送システムに応じて、蓄積システムからチャンバへ素早くまたはゆっくりと流体を移動させる。エネルギーが完全に移送されると、流体は初めの位置に戻るか、または新たな均衡位置に留まる。
【００１１】
アニメーションの効果を増幅するために、異なる疎水性、親水性または疎油性、親油性の表面加工が施される。
【００１２】
上記宝飾品は、１つまたはそれ以上の流体を封入するために、少なくとも１つのチャンバを有する。チャンバは少なくとも部分的に透明で、少なくとも１つの流体は透明部を介して観察者から視認可能である。流体は、とりわけチャンバが１つ以上の流体を含む場合、チャンバ内を自由に移動することが可能とされる。任意的に包含される粒子は、１つの流体内では自由に移動しつつも異なる流体との間のバリア層の通過は制限されるか、またはバリア層をも自由に通過可能とされる。
【００１３】
上記宝飾品の実施態様は、指輪、チャーム、ネックレス、ペンダント、イヤリング。ブレスレットとして具体化されても、または時計、腕時計、眼鏡またはその他の装置に組み込まれてもよい。靴、バッグ、ベルト、サスペンダーや帽子など、その他の装身具を装飾するのに用いられる装置も挙げられる。
【００１４】
流体を収容するチャンバはガラス、クリスタルグラス、カットガラス、クリスタル（または適切な代替材料）宝石、貴石または半貴石からなり、貴金属または非貴金属に固定される。チャンバの一部は金属または弾力性のある材料から形成されてもよい。
【００１５】
流体の（熱）膨張は、２０１６年４月７日出願のＰＣＴ／ＩＢ２０１６／０００４４８、２０１６年１月７日出願のＰＣＴ／ＩＢ２０１６／０００００４、２０１５年９月１１日出願のＰＣＴ／ＩＢ２０１５／００１６１１、２０１４年８月６日出願のＰＣＴ／ＩＢ２０１５／００１３３６、２０１４年４月３日出願のＰＣＴ／ＩＢ２０１５／０００４４６の特許出願に開示される発明によって抑制および補償される。２０１４年４月３日出願のＰＣＴ／ＩＢ２０１５／０００４４８の内容は、本件で請求する発明を定義するために、参照することで組み込まれると共に、それに依拠する。
【００１６】
チャンバの補充は、補充後または組立工程でしっかりと密閉される１つまたはそれ以上の開口部を介して行われる。
【００１７】
着用者を楽しませると共に着用者に着用されるように適応された審美的形状を有する構成物を提供する。構成物は、機能要素が一体化されてなる構造を提供する。機能要素にはいくつかの要素が含まれる。第１要素は流体リザーバである。第２要素は、流体リザーバ内に配置される少なくとも２つの流体である。第３要素は、構成物が静止状態にある場合に吸引力およびその他の吸引力または反発力に対して均衡状態を有する動作生成部であり、動作生成部は構成物が吸引力または反発力に対して動かされるとアニメーション効果を生む。
【００１８】
流体または流体の一部は観察者から視認可能な審美的要素となり、着色されるか無色（かつ色が変化するように見える）とされ、浮遊粒子／浮遊しない粒子または懸濁された粒子を含んでもよい。流体は気体または液体であってもよく、液体が１つ以上の場合、これらの液体は非混合性とされる。流体を収容するチャンバは、気温／気温変化、重力ベクトル／ベクトルの変化、電気的力のベクトル／ベクトルの変化、磁力ベクトル／ベクトルの変化、光／日光により放散される熱／赤外線放射、または気圧／気圧変化などの外部パラメータから便益を得るように、宝飾品の一部に配置および嵌め込まれる。
【図面の簡単な説明】
【００１９】
【図１Ａ】第１実施態様の斜視図である。
【図１Ｂ】第１実施態様の断面図である。
【図２Ａ】第２実施態様の斜視図である。
【図２Ｂ】第２実施態様の断面図である。
【図３Ａ】第３実施態様の斜視図である。
【図３Ｂ】第３実施態様の断面図である。
【図４Ａ】第４実施態様の斜視図である。
【図４Ｂ】第４実施態様の断面図である。
【図５Ａ】第５実施態様の斜視図である。
【図５Ｂ】第５実施態様の断面図である。
【図６Ａ】第６実施態様の斜視図である。
【図６Ｂ】第６実施態様の断面図である。
【図７Ａ】第７実施態様の斜視図である。
【図７Ｂ】第７実施態様の側面視断面図である。
【図７Ｃ】第７実施態様の正面視断面図である。
【図７Ｄ】第７実施態様の平面図である。
【図７Ｅ】動作中の第７実施態様の概略図である。
【図７Ｆ】チャネル内で流体をより自由に移動可能とする、動作中の第７実施態様の変形の概略図である。
【図７Ｇ】動作中の第７実施態様の変形の概略図である。
【図８Ａ】本発明の第８実施態様の断面図である。
【図８Ｂ】本発明の第９実施態様の断面図である。
【図８Ｃ】本発明の第１０実施態様の断面図である。
【図８Ｄ】本発明の第１１実施態様の断面図である。
【図８Ｅ】本発明の第１２実施態様の断面図である。
【図８Ｆ】本発明の第１３実施態様の断面図である。
【図８Ｇ】本発明の第１４実施態様の断面図である。
【００２０】
図面に示される要素は単純化及び明確性のために開示され、必ずしも正寸で描かれていないことは、当業者には明らかである。例えば、本発明の様々な実施形態の理解をより深めるために、図面のいくつかの要素の寸法は、その他の要素に対して強調して描かれていることもある。さらに、本件で用いられる「第１」、「第２」やその類の用語は、とりわけ、類似する要素を区別するために使用され、必ずしも順次的または時系的な順番を示すものではない。また、明細書および／または請求項における「正面」、「背面」、「平面」、「底面」やその類の用語は、便宜的な目的で使用され、必ずしも限定的な相対位置を総合的に表わすものではない。上記のように用いられる用語は、例えば、本願で開示される様々な実施形態が、明確に図示又は説明される以外の構成および／または配向でも操作可能であるような、適切な状況下では置き換えられてもよいことを当業者は理解されたい。
【好適な実施形態の詳細な説明】
【００２１】
以下の説明は本質的に例示的であり、本願が出願された時点で発明者が知り得た本発明の最良の態様を説明するもので、本発明の範囲をいかなる意味でも制限するものではない。その結果として、本願で開示される例示的な実施形態におけるすべての要素の配置および／または機能は、本願発明の精神および範疇から逸脱することなく変更を加えることが可能である。
【００２２】
着用者を満足させ、また着用者に着用されるように適応された審美的形状を有する、進歩性のある構成物を提供する。構成物は、機能要素が一体化された構造を提供する。機能要素にはいくつかの要素が含まれる。第１要素は流体リザーバである。第２要素は、流体リザーバ内に配置される少なくとも２つの流体である。第３要素は、構成物が静止状態にある場合に吸引力およびその他の吸引力または反発力に対して均衡状態を有する動作生成部であり、動作生成部は構成物が吸引力または反発力に対して動かされるとアニメーション効果を生む。
【００２３】
吸引力または反発力の１つは、異なる比重の流体を分離させる重力である。さらなる吸引力または反発力は、磁性流体や永久磁石、または流体に懸濁された磁性微粒子などの磁性材料によってもたらされる。
【００２４】
動作生成部は構成物内に設けられ、使用者の動きによって動作生成部が動かされるように、例えば回転などの動作軸に対して少なくとも質量に関して偏心し（ｍａｓｓ−ｗｉｓｅ  ｅｃｃｅｎｔｒｉｃ）、これによりリザーバ内の少なくとも２つの流体のうちの少なくとも１つと直接的に相互作用をすることで、流体のアニメーション動作を作り出す。
【００２５】
流体リザーバ内の表面張力はコーティングによって誘発され、このような表面張力によって１つまたは複数の流体の形状および動きが決定される。
【００２６】
１つまたは複数の流体の表面張力は、磁性撹拌機に施されるコーティングによって誘発される。
【００２７】
粒子は少なくとも１つの流体に任意的に懸濁される。
【００２８】
微粒子が懸濁された１つまたは複数の流体の表面の表面張力は、流体間の界面の表面に影響を及ぼす。少なくとも２つの封入された流体は非混合性である。流体の両方は液体であってもよいが、１つは気体であってもよい。
【００２９】
好適には、少なくとも２つの流体は、一方の流体がもう一方から視覚的に容易に識別可能となるように異なる色または屈折率を有する。
【００３０】
固形または粒子状の装飾的要素は、少なくとも１つの流体に懸濁される。
【００３１】
リザーバは迷路状であってもよく、磁石によって直接的または間接的に誘導される質量体によって迷路内を誘導される。この質量体は、流体リザーバ内に収容された液体の質量体であってもよい。代替的に、質量は磁石または磁性液体であってもよい。通常、動作生成部は少なくとも１つの磁石からなる。
【００３２】
任意的に、少なくとも１つの磁石は、少なくとも１つの磁石を少なくとも１つの流体に浮遊させる浮き装置に取り付けられる。
【００３３】
構成物には、時間の経過または気温の変化を示すように適応された機構部が組み込まれていてもよい。もちろん、構成物は指輪、ブレスレット、ネックレスや装飾的なボディピアス要素などの宝飾品の一部であってもよい。
【００３４】
構成物の流体リザーバは、チャネル表面によって定義されたチャネル網から形成されてもよい。チャネルは、液体および／または気体がチャネル網を循環できるように相互接続されてもよい。チャネル内の液体の移動を容易にするために、リザーバ内の液体が質量体となり、本質的にチャネル表面に付着しないように、チャネル表面は液体を撥水するように加工される。
【００３５】
液体のうちの１つは水銀などの液体金属であってもよい。
【００３６】
リザーバの表面は、流体リザーバへの導入のために選択された１つまたは複数の液体の質量および重量と、従ってその選択された１つまたは複数の液体に対する重力を考慮した表面張力を有するように加工され、選択された１つまたは複数の液体に対する重力はリザーバの表面への吸引力を容易に超越し、これによってリザーバ内で選択された１つまたは複数の液体の循環が容易となる。磁石が構成物の磁性要素に作用することで、さらに動作が容易となる。
【００３７】
次に図１Ａと１Ｂを参照すると、それ自体は磁石２２によって動作される粒子１６、２０によって動かされる液体１２、１４を有する指輪１０が示され、上記液体がより簡単に移動することを可能にする撥水性の表面加工２４、２６、２８、３０によってアニメーションが容易となる。外側コーティング３２は、保護および光学効果に寄与するために施される。疎油性／疎水性コーティング２４は、第１加工半球部３６の内側面に施される。その外側および内側が透明とされる半球部３６、４０は、例えばガラスやクリスタルなどから形成される。半球部３６、４０は、ガラス−金属接着剤４２を介して指輪のベース部に取り付けられる。任意的に、空のチャンバ４４は球体部３６、４０の下に配置され、チャンバの中には、着用者が動くと自由に移動する１つまたはそれ以上の微小磁石２２が配置される。一実施態様では、チャンバはいくつかのチャンバから構成され、それぞれのチャンバには磁石２２が収容される。磁石２２は任意的には微小磁石とされる。任意で、充填される液体の１つまたはそれ以上に懸濁液中の粒子１６が加えられ、粒子のいくつかはある程度まで磁化される。半球部３６、４０の間に位置する外側チャンバ４６を部分的に満たす液体１２は、半球部の間に配置される。液体１４は、半球部４０と、指輪１０のベース部５２との間に配置されるチャンバ５０を部分的に満たし、通常指輪のベース部は着用者の指を一周するための輪５４を含む。コーティング３０が指輪のベース部に施されてもよい。このように、チャンバ５０は気体または空気５６と液体１４で満たされる。審美的効果は、各チャンバで移動する液体の色の重ね合わせ、あるいは重力および／またはチャンバ４４の磁石によって生成される磁場によって動かされる微粒子の配置によってもたらされる。
【００３８】
次に図２Ａおよび２Ｂを参照すると、ガラスまたはクリスタルのプレート部６４に配置された貴石または半貴石６２のはめ込み台を備えたブレスレット６０が開示され、プレート部自体はベース部６６に接着されてなる。そのうちの１つは気体であってもよいとされる１つまたはそれ以上の流体６８、７０は、上記ベース部６６とプレート部６４の間に収容され、液体のうち１つは任意的には強磁性流体であってもよい。液体を撥水および／または吸引する疎水性、親水性、疎油性または親油性のコーティング７２、７４により、金属性のベース部６６および／またはガラスまたはクリスタル６４上のチャンバ７６内で特定数の石６２が上記液体６８または７０の凹部によって濡らされる。石６２はコーティングされていてもされていなくてもよい。その底部が気体内に位置する石との間でコントラストが生じるように、液体６８、７０の屈折率は石６２の光沢を鈍らせるように選択される。これによって、図示のような動くデザインがはめ込み台上で形成される。石６２は、ガラスまたはクリスタル６４に不浸透性に水密となるように取り付けられる。
【００３９】
次に図３Ａおよび３Ｂを参照すると、芸術的に形成されたセグメント８６が着用者に見えるように、領域８４においてその一部が露出されたキャピラリチューブ８２が開示される。キャピラリチューブ８２は相互に混合しない様々な流体８４、８６、８８，９０で充填され、その（液体８６の）少なくとも１つのセグメントは磁化される（強磁性流体）。図では描かれていないが、図示のキャピラリチューブ８２に隣接するチャネル９６に配置される、好適には球状とされる微小磁石９２によって、キャピラリチューブ内の流体８４，８６、８８、９０のカラムは動かされる。流体８４、８６，８８，９０は、着色されたセグメントと無色のセグメントが視認可能となり、チャネル内９６を移動する微小磁石９２によって着用者が動くと共に芸術的に形成された領域を移動するように配置される。流体のセグメント８４、８６、８８、９０は、磁石の非常に小さい動作による流体８４の位置決めを最適化するために設けられ、流体８４と流体８６の間のメニスカスが、「ｌｏｖｅ」やその他の装飾的な文字や形状が読み取れるように形成されたキャピラリチューブ８２の領域を移動する様子が視認できる。強磁性流体の液体８６は、微小磁石９２が動く際にピストンのような役割を担う。液体８８は、流体８６と視覚的かつ審美的なコントラストをなす着色された液体とされる。
【００４０】
次に図４Ａおよび４Ｂを参照すると、２つの同心球体１０４、１０６が備わったベース部１０２を有する指輪１００が開示される。球体１０４はガラスまたはクリスタルから形成される。点線１１０は、球体の半分１１２、１１４が例えば融着接合などにより接着された位置を示す。融着接合が完了すると、融着部１１０は見えなくなる。外側球体１０４は透明とされ、内側球体１０６は不透明で、空洞の穴部１２０と金属やその他の重量物で充填された穴部１２２とが備わってなる。２つの球体１０４、１０６の間には２つまたはそれ以上の粘度のある非混合性の流体１２４、１２６が配置され、流体は着色されるか光沢を有し、貴重でも貴重でなくても（ｎｏｎ−ｐｒｅｃｉｏｕｓ）よいとされる粒子１３０（ｇｒｅｅｎ  ｘ’ｓ）で充満される。流体１２４、１２６の粘度によって、中心のボール１０６が外側球体１０４の中で継続的に滑らかに動くことができなければならない。着色された液体または穴部１２０は、透明の流体１２６よりも低い密度を有する。このため、実質的には穴部１２０は真珠または中心の球体１０６に形成される。このチャンバ１２０は、流体の膨張を吸収するために、壁部にある程度の柔軟性を与えるために球体１０４の外側に十分密接に配置されなければならない。また、チャンバ１２０は中心の球体１０６の不均衡質量を強調しなければならない。流体１２６は透明、あるいは流体１２４と異なる色でなければならない。質量の不均衡性を保証するために、真珠または中心の球体１０６の中に質量体１３０が加えられてもよい。中心球体の動作を最適化するために、コーティング１３２は２つまたはそれ以上の流体１２４、１２６に対する撥水性を有する。中心球体１０６のコーティングは、移動すると共に親和性を有する液体を吸引することで、その動きが視認可能となるように、１つの液体に対して撥水性を有し、その他に対して親和性を有していなければならないことを留意されたい。外側コーティング１３６は光学効果を最適化するために施される。
【００４１】
次に図５Ａおよび５Ｂを参照すると、２つまたはそれ以上の流体１５０、１５２または１５４、１５６または１６０、１６２が封入されたいくつかのチャネル１４２、１４４および１４６が備わった指輪１４０が示される。流体のセグメントのうち少なくとも１つは、磁性粒子が充填される。充填されたセグメントは、リング１４０内でその真下に形成されたチャンバ１７０に配置された１つまたは複数の磁石１６６の動きと連動する。石、ガラスまたはクリスタルのアセンブリ１７２はいくつかの層１７４、１７６、１８０、１８２（本実施態様では４層）に切り分けられ、いくつかのチャネル１４２、１４４、１４６はそれぞれ各層の間に形成される。一般的に、接合領域１８４、１８６、１９０は融着接合によって形成される。通常、チャネル１４２、１４４、１４６は直径０．６ｍｍとされ、例えばウォータージェット切断法やその他の方法で形成される。例えば１５２、１５６および／または１６２などの流体セグメントは磁性粒子で充填される。微小磁石１６６は指輪１４０のベース部１９６に備わってなるチャンバ１７０内を自由に移動し、その中では１つまたはそれ以上の微小磁石１６６が動き回る。外側コーティング２００は光学効果を最適化するために施される。内側コーティング２０２はチャネル１４２、１４４、１４６に施され、中に収容される流体に対して撥水性を有する。
【００４２】
次に図６Ａおよび６Ｂを参照すると、指輪２１０はガラス、クリスタルまたは貴石からなる透明な半球部２１２を有し、その中には同じく透明な半球部２１４を含んでなる。この半球部２１４の質量は不均衡とされ、それが浸漬される流体２２０、２２２のうちの１つを撥水し、もう一方を吸引する表面加工２１６が施される。半球部２１４はその不均衡質量によってハウジング内を移動し、これにより流体２２０、２２２も移動する。流体２２０、２２２は、混ざり合わないことにより形状を作り出し、水中に浮遊するガソリンの滴が有する光学効果と同様の光学効果を生むように選択される。例えば、半球部２１４の内側部２２４の３分の１の部分は、半球部２１２と同様の材料、または少なくとも同様の外観を有する材料から形成される。半球部２２４の内側部２２６の残りの部分は半球部２１２と同様の外観ではあるが、内側部２２６より実質的に高い密度を有する。融着接合領域２３０は内側部２２４および２２６の間に配置される。流体２２０、２２２のうち１つは着色される。コーティング２１６は、その他の流体に親和性を有する流体２２０、２２２のうち一方の流体に撥水性を有する。流体２２０、２２４の一方の流体はもう一方とは異なる色で、もう一方とは非混合性とされる。半球部２１２の外側コーティング２３６は、半球部の外観を最適化するために施される。コーティング２４０は流体２２０、２２４に対して撥水性を有する。半球部２１２は、指輪２１０のベース部２４６との間で不浸透性（水密）接合２４２が実現される。指輪２１０のベース部２４６の拡大図において、ガラスの膜部２５０（流体の膨張を吸収するための構成物）が備わってなる。
【００４３】
次に図７Ａから７Ｄを参照すると、本発明の別の実施態様である、貴石２６２で装飾され、動く流体で充填されたチャネル２６７の網を有するパネル２６４を備えた指輪２６０が示される。アニメーションは、チャネル２６６内に収容される流体がより容易に動くことを可能とする撥水性の表面加工によって促進される。ボール磁石２７０は、同様に強磁性の要素２７４をチャネル内で移動させるように、チャネル２６６の下に形成された穴部２７２に任意で配置される。
【００４４】
次に図７Ｅを参照すると、チャネル２６６の網の配置に起因した避けるべき構造の動作中の指輪２６０が開示される。この代替的な実施態様において、材料２７４は強磁性流体である必要はなく、気体と共にチャネルに収容されたただの液体２７４であればいい（凹部２７２および／または２７３に磁石２７０、２７０’が配置される必要もない）とすると、この構造では、中央チャネルに形成されたブローホールにより、液体２７４がＡの比較的小さな通路へ移動する際に、上方の液体２７４の内側チャネルへの移動が妨げられるのが明白である。位置Ｂに関しても同様のことが生じる。
【００４５】
次に図７Ｆを参照すると、チャネル網がブローホールを回避することで、材料２７４が同心状のチャネル間を自由に行き来することを可能とする動作中のリング２６０’を開示する。チャネルは、同心状のチャネルの間に通路を有する迷路を形成し、隣接するチャネルの間に少なくとも２つの通路が備えられる。通路の１つは第１流体がチャネルに進入する際の入口となり、もう一方の通路はそこへ第１流体が進入できるように、第２流体をチャネルの外へ移動させる。任意的には、一方の流体は気体とされる。この方法によると、チャネル内の材料２７４は図の右側の通路を通過して、または図の下側から中央チャネルへ自由に循環することができる。
【００４６】
次に図７Ｇを参照すると、通路が毛管作用を回避するのに十分な大きさに形成されることで流体のチャネルへの自由な流入を可能とする、動作中の指輪２６０’が開示される。図の左側の狭いチャネルに形成されたメニスカス２７７と比較した、液体表面の自由度に留意されたい。加えて、通路は材料２７４の寸法よりも大きくなるよう選択されてもよい。このような効果を得るために、チャネルの表面は、流体リザーバへの導入に選択された１つまたは複数の液体の質量および重量、従って選択された１つまたは複数の液体に対する重力を考慮して、選択された１つまたは複数の液体に対する重力がリザーバの表面へのいかなる吸引力をも容易に超越し、これによりリザーバ内において選択された１つまたは複数の流体の循環が容易となるような表面張力を有するように加工されることが望ましい。一方で、チャネルの表面は、求められる視覚的効果に応じて、少なくともその一部では低い表面張力を有するように加工されてもよい。同心状のチャネルの間に２つの通路がないために空洞や潜在的な封鎖が存在する指輪２６０であっても、材料２７４が同心状の通路の間を容易に通過することを可能にするための、チャネル表面の表面加工、材料２７４の高低を問わない表面張力および通路の相対的な寸法を含む幾何学が存在することを留意することが重要となる。
【００４７】
この改変態様では、磁石を使用することなく審美的効果が奏されることを考慮されたい。重力のみで、十分な原動力となる。
【００４８】
次に図８Ａを参照すると、図７Ａおよび７Ｂの発明の指輪２６０の別の実施態様２８０が示される。この第２の改変態様では、指輪２８０は、（指輪２６０における長方形のチャネルとは異なる）半円形のチャネル２８３が、上から見ると「拡大」効果を有するが横から見ると視差効果によりチャネル２８３の幅を光学的に縮小するように、凸状の透明要素２８４と接合されて形成された段状のサファイアのベースプレート２８２を有してなる。チャネル２８５の高さは指輪２８０の段差の高さと合致する。チャネル２８３は、迷路の１つの段差２８６から次の段差への経路で傾斜して形成される。
【００４９】
次に図８Ｂを参照すると、また別の実施態様３００では、段状のサファイアのベースプレート３０２には、水圧耐性を最適化するために、加工された半円形の半チャネル（ｈａｌｆ−ｃｈａｎｎｅｌ）３０４が備えられる。チャネル３０４の高さは指輪の段差に合致し、前記のようにチャネルは迷路の１つの段差から次の段差への経路で傾斜する。
【００５０】
次に図８Ｃを参照すると、平面図が示される別の実施態様３２０では、サファイアのチャネル３２２は平面部３２４（上から見た際に「拡大」効果はなく、視差効果も有さない）に接合されて形成される。チャネル３２２の高さは指輪３２０の最も低く象嵌された段差に揃えられ、このためチャネルは傾斜しない。
【００５１】
次に図８Ｄを参照すると、同様に平面状のサファイアのベースプレート３３２を備えた別の実施態様３３０では、平面部３３６と接合されて形成された長方形のサファイアのチャネル３３４を有し（このため、上から見た際に「拡大」効果はない）、このため機械加工は単純化されるが、水圧耐性は最適化されない。チャネル３３４の高さは指輪３３０の最も低く象嵌された段差に揃えられるため、チャネルは（空間的に）傾斜しない。
【００５２】
次に図８Ｅを参照すると、同様に段状のサファイアのベースプレート３４２を備えた別の実施態様３４０では、長方形のサファイアのチャネル３４４は平面部３４６と接合されて形成される（このため、上から見た際に「拡大」効果はない）。チャネル３４４の高さは指輪３４０の象嵌された段差に合致する。チャネル３４４は迷路の１つ段差から次の段差への経路で傾斜する。
【００５３】
次に図８Ｆを参照すると、同様に平面状のサファイアのベースプレート３５２を備えた別の実施態様３５０では、可変の高さの長方形のサファイアのチャネル３５４は平面部３５６に接合されて形成され（このため、上から見た際に「拡大」効果はない）、結果としれチャネルの上部の複雑な機械加工が施される。チャネル３５４の高さは指輪３５０の象嵌された段差に合致し、このためチャネルは迷路の１つの段差から次の段差への経路で傾斜する。
【００５４】
次に図８Ｇを参照すると、同様に段状のサファイアのベースプレート３６２を備えた別の実施態様３６０では、チャネル３６６の下部３６４に機械加工が施される。長方形のサファイアのチャネル３６６は、一定の高さの平面部３７０に接合されて形成される（このため、上から見た際に「拡大」効果はない）。チャネル３６６の高さは指輪３６０の象嵌された段差に合致し、このためチャネルは迷路の１つの段差から次の段差への経路で傾斜する。
【００５５】
利点としては、本発明は鑑賞および着用する上で興味深い、動く着用可能な構成物を提供する。
【００５６】
また別の利点としては、本発明には斬新で審美的に満足が得られるような効果が用いられる。
【００５７】
本願で開示および説明される特定の実施形態は、本発明の代表的および最適な態様を示すものであって、本発明の範囲を制限することを意図したものでは決してないことを理解されたい。
【００５８】
本発明は様々な適用が考案可能であることを考慮された。
【００５９】
当業者には理解されるように、本発明はシステム、装置または方法として具現化することが可能である。
【００６０】
また、本願のシステムは、本願と同様の機能を有するすべての物品、サービスまたは情報の使用、販売および／または流通を意図したものである。
【００６１】
本願の明細書および図面は限定するためではなく例示的なものとして理解されたく、本願で説明されるすべての改良は、例えそれが出願時に明確に請求されていない場合でも、本願の請求する発明の範囲に包含されることを意図される。従って、本願発明の範囲は、上記された単なる例示案からではなく、添付される請求項、または後で補正あるいは追加される請求項、またはそれに法的に相当する物によって判断されるべきである。例えば、すべての方法または工程の請求項で記載されるステップは、特に記載のない限りどの順番であっても実行可能であり、請求項に記載される特定の順番に限定されるものではない。さらに、装置の請求項で記載される要素および／または部品は、本願と本質的に同様の成果をもたらす様々な置換で組立または操作的に構成されることも可能である。総じて、本願発明は請求項で記載される特定の構成に限定されるものではない。
【００６２】
本願で記載される便益、利点や解決法は、請求項の必須、重要または不可欠な特徴または要素であると考慮されるべきではない。
【００６３】
本願で用いられる「からなる」、「から構成される」やその他の同様の言い回しは、要素の非限定的な一覧を表すために用いられ、その要素一覧から構成される本発明の工程、方法、物品、構成または装置は記載される要素のみを含むわけではなく、本明細書に記載されるその他の要素を含むことも可能である。また、「を含む」、「を含んでなる」または「本質的に含む」といった言い回しは、別段に指定のない限り、列挙される要素のみに発明の範囲を限定する意図で用いられるものではない。本発明の実施に用いられる上記された要素、材料または構造の組み合わせまたは改良は、本発明の一般原則から逸脱することなく、当業者によってその他の設計に変更または適応することも可能である。
【００６４】
上記で挙げられた特許及び文献は、別段の記載のない限り、本開示に反しない範囲において、参照することにより本件に組み入れられる。
【００６５】
本発明の他の特徴および実施形態は、添付の請求項において説明される。
【００６６】
さらに、本発明は、新規性、進歩性及び産業上の利用性を具備すると考慮される本明細書、添付の請求項及び／又は図面において説明された全ての特徴の可能な全ての組み合わせから構成されることを考慮されたい。
【００６７】
著作権は出願人またはその譲受人によって保有され、１つまたは複数の請求項で定義される権利の第三者への明示的なライセンス付与に関しては、本発明を残りの請求項に定義されるように使用する黙示的なライセンスは一切許諾されていない。さらに、一般または第三者に対して、この添付物および本願に含まれる全てのコンピュータープログラムを含め、本願明細書に基づいて二次的著作物を作成する明示的または黙示的なライセンスは許諾されていない。
【００６８】
本発明の付加的な特徴および機能性は添付の請求項において説明される。それらの請求項は参照として本明細書にそのすべてが組み込まれ、提出された出願の一部と考慮されたい。
【００６９】
上述された発明の実施形態において、様々な変更及び改良を加えることが可能である。本発明の、特定の具体的な実施形態が開示及び説明されたが、幅広い改良、変更及び置換が上述の実施形態では考慮される。上記の説明には多くの特定事項が含まれるが、発明の範囲を限定するものとしてではなく、むしろ１つ又はその他の好適な実施形態の例示であると考慮されたい。場合によっては、本発明のいくつかの特徴は、対応する他の特徴を使用することなく用いられる。従って、上述の説明は広義に解釈され、単なる実例又は例示として理解され、本発明の精神及び範囲は本出願で最終的に発行される請求項によってのみ限定されるべきである。
【図１Ａ】
2018532483.tif 000003
【図１Ｂ】
2018532483.tif 000004
【図２Ａ】
2018532483.tif 000005
【図２Ｂ】
2018532483.tif 000006
【図３Ａ】
2018532483.tif 000007
【図３Ｂ】
2018532483.tif 000008
【図４Ａ】
2018532483.tif 000009
【図４Ｂ】
2018532483.tif 000010
【図５Ａ】
2018532483.tif 000011
【図５Ｂ】
2018532483.tif 000012
【図６Ａ】
2018532483.tif 000013
【図６Ｂ】
2018532483.tif 000014
【図７Ａ】
2018532483.tif 000015
【図７Ｂ】
2018532483.tif 000016
【図７Ｃ】
2018532483.tif 000017
【図７Ｄ】
2018532483.tif 000018
【図７Ｅ】
2018532483.tif 000019
【図７Ｆ】
2018532483.tif 000020
【図７Ｇ】
2018532483.tif 000021
【図８Ａ】
2018532483.tif 000022
【図８Ｂ】
2018532483.tif 000023
【図８Ｃ】
2018532483.tif 000024
【図８Ｄ】
2018532483.tif 000025
【図８Ｅ】
2018532483.tif 000026
【図８Ｆ】
2018532483.tif 000027
【図８Ｇ】
2018532483.tif 000028
【国際調査報告】
2018532483.tif 000029
2018532483.tif 000030